【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
外部ブラケット側と外部ブラケット側の反対側に位置する内部ブラケット側とを備えるブラケット壁と、
ブラケット壁の外部ブラケット側に隣接する第１のドックと、
を備えるブラケットと、
第１のドックとヒンジ結合される第１のヒンジ部材と、を備え、
第１のヒンジ部材は、
第１の上端部と、
第１の上端部の反対側に位置する第１の底端部と、
第１の上端部と第１の底端部との間に伸びる第１の側壁と、
第１の上端部に位置し、停止部を備える第１の突出部と、
第１の側壁によって画定される第１の穴と、を備え、
第１の軸線は、第１の突出部の中心及び第１の上端部と第１の底端部との間を通って伸びており、
第１のドックは、ブラケット壁の外部ブラケット側に伸びる第１の切欠きを備え、
ゴルフバッグ支持機構が収納状態にある場合、
収納角度は、第１の軸線とブラケット壁との間に存在し、
第１の突出部は、第１の切欠きから離間され、
ゴルフバッグ支持機構が伸張状態にある場合、
収納角度よりも大きな伸張角度は、第１の軸線とブラケット壁の間に存在し、
第１の突出部の停止部は、第１の切欠きに受容される、ゴルフバッグ支持機構。
【請求項２】
第１の穴は、第１の底端部から第１の上端部に向かって伸びており、
第１の穴は、第１の軸線を中心に配置され、
第１の突出部は、第１のヒンジ部材の第１の上端部の中心に配置され、
ブラケットは、内部ブラケット側がゴルフバッグに対向するように、ゴルフバッグの上部バッグ部分に結合される、請求項１に記載のゴルフバッグ支持機構。
【請求項３】
ブラケットは、ゴルフバッグの上部バッグ部分に結合され、
ブラケット壁は、上部バッグ部分のバッグ側壁に結合され、かつ、実質的に平行に位置する、請求項１又は２に記載のゴルフバッグ支持機構。
【請求項４】
第１のヒンジ部材の第１の穴は、第１の支持脚の第１の端部を受容し、
ゴルフバッグ支持機構が、バッグ側壁に結合され、第１の支持脚の第１の端部が第１のヒンジ部材の第１の穴内に受容され、ゴルフバッグの底部及び第１の支持脚の第２の端部が支持面上に支持されている間に、ゴルフバッグ支持機構が伸張状態にある場合、
第１の突出部の停止部は、第１の切欠きをブラケット壁に沿う方向に押す、請求項３に記載のゴルフバッグ支持機構。
【請求項５】
第１の切欠きは、ブラケット壁を、ブラケット壁の外部ブラケット側から内部ブラケット側まで完全に貫通して伸びており、
ゴルフバッグ支持機構が伸張状態にある場合、第１の突出部の少なくとも一部は、第１の切欠きを、ブラケット壁の内部ブラケット側からブラケット壁の外部ブラケット側まで通って伸びる、請求項１から４のいずれか一項に記載のゴルフバッグ支持機構。
【請求項６】
第１の突出部は、真直な楕円形又は楕円形のうちの１つからなる、請求項１から５のいずれか一項に記載のゴルフバッグ支持機構。
【請求項７】
第１の突出部の停止部は、曲面状に形成されており、
第１の切欠きの底部は、第１の突出部の停止部に適合するように曲面状に形成されている、請求項１から６のいずれか一項に記載のゴルフバッグ支持機構。
【請求項８】
第１のヒンジ部材を第１のドックにヒンジで留める第１のクレビスピンをさらに備え、
第１のドックは、
第１の切欠きを備える第１の後壁と、
第１の後壁に実質的に垂直であり、第１の後壁の両端に結合される第１及び第２の耳部と、を備え、
第１の耳部は、第１の耳孔を備え、
第２の耳部は、第２の耳孔を備え、
第１のヒンジ部材は、
第１の側壁の第１の側壁端部であって、第１のヒンジ孔を備える第１の側壁端部と、
第１の側壁端部の反対側に位置する第１の側壁の第２の側壁端部であって、第２のヒンジ孔を備える第２の側壁端部と、を備え、
第１のクレビスピンは、第１のヒンジ部材を第１のドックとヒンジで留めるために、第１のヒンジ部材のヒンジ軸線に沿って、ヒンジ位置に挿入可能であり、
ヒンジ位置は、第１の耳孔と、第１のヒンジ孔と、第１の穴と、第２のヒンジ孔と、第２の耳孔内の第１のクレビスピンを備える、請求項１から７のいずれか一項に記載のゴルフバッグ支持機構。
【請求項９】
第１のヒンジ部材は、
第１の側壁端部と第２の側壁端部との間に位置する第１の側壁の第３の側壁端部と、
第１の側壁端部と第２の側壁端部との間に位置し、第３の側壁端部の反対側に位置する、第１の側壁の第４の側壁端部と、を備え、
第１の突出部は、
第３の側壁端部の方に対向する第１の突出部端部と、
第４の側壁端部の方に対向する第２の突出部端部と、を備え、
第１の突出部端部と第２の突出部端部とは、ヒンジ軸線を基準に、実質的に互いに対称であり、
第１のヒンジ部材は、
ゴルフバッグ支持機構が収納状態にある場合に、第３の側壁端部が第１のドックの第１の後壁に対向し、ゴルフバッグ支持機構が伸張状態にある場合に、第１の突出部端部が第１の切欠きに係合する、第１の向き、又は、
ゴルフバッグ支持機構が収納状態にある場合に、第４の側壁端部が第１のドックの第１の後壁に対向し、ゴルフバッグ支持機構が伸張状態にある場合に、第２の突出部端部が第１の切欠きに係合する、第２の向き
のいずれかの向きで第１のドック内に挿入可能である、請求項８に記載のゴルフバッグ支持機構。
【請求項１０】
第１のクレビスピンは、
クレビス頭部を備える頭部端部部分と、
クレビスピンがヒンジ位置にある場合、第２の耳孔から突出する挿入端部部分と、を備え、
挿入端部部分には、保持機構が設けられておらず、
挿入端部部分の最大厚さは、第１及び第２の耳孔、並びに、第１及び第２のヒンジ孔のそれぞれの孔寸法に適合する、請求項８又は９に記載のゴルフバッグ支持機構。
【請求項１１】
第１のヒンジ部材の第１の穴の内側端部は、内側端部から突出している第１及び第２の指部を備え、
第１のクレビスピンは、頭部端部部分と挿入端部部分との間に、第１のクレビスピンを少なくとも部分的に囲む第１の溝を備え、
第１の指部と第２の指部との間の距離は、
第１の溝における第１のクレビスピンの厚さと適合しており、
第１の溝の両側に隣接する第１のクレビスピンの厚さよりも薄く、
そして、
第１のクレビスピンがヒンジ位置から滑り落ちることを抑制するために、第１のクレビスピンがヒンジ位置にある場合、第１及び第２の指部は、第１の溝の両側に位置する、請求項１０に記載のゴルフバッグ支持機構。
【請求項１２】
伸張角度は、約４０度から約６０度までの間で構成される、請求項１から１１のいずれか一項に記載のゴルフバッグ支持機構。
【請求項１３】
ブラケット壁は、第１のドックの反対側であって、かつ、ブラケット壁の内部ブラケット側に位置する１個以上の補強リブを備え、
１個以上の補強リブのうちの少なくとも第１のリブは、第１の切欠きの底部の下、及び、隣接して位置する、請求項１から１２のいずれか一項に記載のゴルフバッグ支持機構。
【請求項１４】
第１のドックは、
第１の切欠きを備える第１の後壁と、
第１の後壁に実質的に垂直であって、第１の後壁の両側に結合される第１及び第２の耳部と、を備え、
ブラケットは、
ブラケット壁の上部縁端と、第１のドックの第１及び第２の耳部の上部縁端上方に結合される上部壁であって、ブラケット壁から外側に伸びており、かつ、実質的に平行でない上部壁と、をさらに備え、
少なくともゴルフバッグ支持機構が伸張状態にある場合、第１のヒンジ部材は、上部壁から完全に離間する、請求項１から１３のいずれか一項に記載のゴルフバッグ支持機構。
【請求項１５】
第２のヒンジ部材をさらに備え、
第２のヒンジ部材は、
第２のヒンジ部材の第２の上端部に位置する第２の突出部と、
第２の突出部の中心を通って伸びる第２の軸線と、を備え、
ブラケットは、ブラケット壁の外部ブラケット側に隣接する第２のドックをさらに備え、
第２のヒンジ部材は、第２のドックとヒンジ式に結合され、
ゴルフバッグ支持機構が収納状態にある場合、
第２の収納角度は、第２の軸線とブラケット壁との間に存在し、
ゴルフバッグ支持機構が伸張状態にある場合、
第２の収納角度よりも大きな第２の伸張角度は、第２の軸線とブラケット壁の間に存在し、
第２の収納角度は、収納角度に一致し、
第２の伸張角度は、伸張角度に一致する、請求項１から１４のいずれか一項に記載のゴルフバッグ支持機構。
【請求項１６】
ゴルフバッグ支持機構を提供するための方法であって、
外部ブラケット側と外部ブラケット側の反対側に位置する内部ブラケット側とを備えるブラケット壁と、
ブラケット壁の外部ブラケット側に隣接する第１のドックであって、ブラケット壁の外部ブラケット側に伸びる第１の切欠きを備える第１のドックと、
を備えるブラケットを設けるステップと、
第１のドックにヒンジ式に結合される第１のヒンジ部材を設けるステップと、を備え、
第１のヒンジ部材を設けるステップは、
第１の上端部を設けるステップと、
第１の上端部の反対側に位置する第１の底端部を設けるステップと、
第１の上端部と第１の底端部との間に伸びる第１の側壁を設けるステップと、
第１の上端部にあり、停止部を備える第１の突出部を設けるステップと、
第１の側壁によって画定される第１の穴を設けるステップと、を備え、
第１の軸線は、第１の突出部の中心及び第１の上端部と第１の底端部との間を通って伸びており、
ゴルフバッグ支持機構は、
収納角度が第１の軸線とブラケット壁の間に存在し、
第１の突出部が第１の切欠きから離間される場合に、収納状態に移行可能であり、
ゴルフバッグ支持機構は、
収納角度よりも大きな伸張角度が第１の軸線とブラケット壁との間に存在し、
第１の突出部の停止部が第１の切欠きに受容される場合に、伸張状態に移行可能である、方法。
【請求項１７】
第１のヒンジ部材を第１のドックにヒンジで留める第１のクレビスピンを設けるステップをさらに備え、
第１の穴を設けるステップは、
第１の底端部から第１の上端部に向かって伸びており、かつ、第１の軸線を中心に配置される、第１の穴を設けるステップを備え、
第１の突出部を設けるステップは、
第１のヒンジ部材の第１の上端部の中心に配置される第１の突出部を設けるステップと、
曲面状の第１の突出部の停止部を設けるステップと、を備え、
停止部は、
第１の突出部の第１の突出部端部と、
第１の突出部の第２の突出部端部であって、第１の突出部端部の反対側に位置する、第２の突出部端部と、のうちの１個を備え、
ブラケットを設けるステップは、
ゴルフバッグのバッグ側壁と結合され、かつ、実質的に平行位置するブラケット壁を構成するステップと、
ブラケット壁の外部ブラケット側から内部ブラケット側までブラケット壁を完全に貫通して伸びる第１の切欠きを設けるステップと、
第１の突出部の停止部に適合するように曲面状に形成されている、第１の切欠きの底部を設けるステップと、を備え、
第１のドックを設けるステップにおいて、
第１のドックは、
第１の切欠きを備える第１の後壁と、
第１の後壁に実質的に垂直であり、第１の後壁の両端に結合される第１及び第２の耳部と、を備え、
第１の耳部は、第１の耳孔を備え、
第２の耳部は、第２の耳孔を備え、
第１のヒンジ部材を設けるステップは、
第１の側壁の第１の側壁端部を設けるステップであって、第１のヒンジ孔を備える第１の側壁端部を設けるステップと、
第１の側壁端部の反対側に位置する第１の側壁の第２の側壁端部を設けるステップであって、第２のヒンジ孔を備える第２の側壁端部を設けるステップと、
第１の側壁端部と第２の側壁端部との間に位置し、第１の突出部の第１の突出部端部の方に向かって配置される、第１の側壁の第３の側壁端部を設けるステップと、
第１の側壁端部と第２の側壁端部との間に位置し、第１の突出部の第２の突出部端部の方に向かって配置される、第１の側壁の第４の側壁端部を設けるステップと、を備え、
第１のクレビスピンを設けるステップは、
第１のヒンジ部材を第１のドックとヒンジで留めるために、第１のクレビスピンを、第１のヒンジ部材のヒンジ軸線に沿ってヒンジ位置に挿入可能に構成するステップを備え、
ヒンジ位置は、第１の耳孔内に挿入され、第１のヒンジ孔と、第１の穴と、第２のヒンジ孔とを通って、第２の耳孔から出る第１のクレビスピンを備え、
第１のヒンジ部材は、
ゴルフバッグ支持機構が収納状態にある場合に、第３の側壁端部が第１のドックの第１の後壁に対向し、ゴルフバッグ支持機構が伸張状態にある場合に、第１の突出部端部が第１の切欠きに係合する、第１の向き、又は、
ゴルフバッグ支持機構が収納状態にある場合に、第４の側壁端部が第１のドックの第１の後壁に面し、ゴルフバッグ支持機構が伸張状態にある場合に、第２の突出部端部が第１の切欠きに係合する、第２の向き
のいずれかの向きで第１のドック内に挿入可能である、請求項１６に記載の方法。
【請求項１８】
第２のヒンジ部材の第２の上端部に位置する第２の突出部と、
第２の突出部の中心を通って伸びる第２の軸線と、を備える、第２のヒンジ部材を設けるステップを、さらに備え、
第１の突出部を設けるステップは、
第１の突出部を真直な楕円形又は楕円形のうちの１つで設けるステップを備え、
ブラケットを設けるステップは、
第２のヒンジ部材をヒンジ式に受容するために、ブラケット壁の外部ブラケット側に隣接する第２のドックを設けるステップをさらに備え、
第１のクレビスピンを設けるステップは、
クレビス頭部を供える頭部端部部分を設けるステップと、
クレビスピンがヒンジ位置にある場合、第２の耳孔から突出する挿入端部部分を設けるステップと、を備え、
挿入端部部分には、保持機構が設けられておらず、
挿入端部部分の最大厚さは、第１及び第２の耳孔、並びに、第１及び第２のヒンジ孔のそれぞれの孔寸法に適合しており、
ゴルフバッグ支持機構が収納状態にある場合、
収納角度に一致する第２の収納角度は、第２の軸線とブラケット壁との間に存在し、
ゴルフバッグ支持機構が伸張状態にある場合、
伸張角度に一致し、かつ、第２の収納角度よりも大きな第２の伸張角度は、第２の軸線とブラケット壁の間に存在し、
ゴルフバッグ支持機構がバッグ側壁に結合され、第１の支持脚の第１の端部が第１のヒンジ部材の第１の穴内に受容され、ゴルフバッグの底部及び第１の支持脚の第２の端部がゴルフバッグを支持面上に支持されている間に、ゴルフバッグ支持機構が伸張状態にある場合、
第１の突出部の停止部は、第１の切欠きをブラケット壁に沿う方向に押す、請求項１７に記載の方法。
【請求項１９】
バッグ側壁と、
第１及び第２の支持脚と、
ブラケットであって、
外部ブラケット側と、外部ブラケット側の反対側に位置する内部ブラケット側と、を有するブラケット壁であって、バッグ側壁に結合され、かつ、実質的に位置するブラケット壁と、
ブラケット壁の外部ブラケット側に位置する第１のドックであって、ブラケット壁の外部ブラケット側に伸びる第１の切欠きを備える、第１のドックと、
ブラケット壁の外部ブラケット側に位置する第２のドックであって、ブラケット壁の外部ブラケット側に伸びる第２の切欠きを備える、第２のドックと、を備える、ブラケットと、
第１及び第２のクレビスピンと、
第１のクレビスピンによって、第１のドックにヒンジ式に結合される第１のヒンジ部材と、
第２のクレビスクピンによって、第２のドックにヒンジ式に結合される第２のヒンジ部材と、を備え、
第１のヒンジ部材は、
第１の上端部と、
第１の上端部の反対側に位置する第１の底端部と、
第１の上端部の中心に配置され、停止部を備える第１の突出部であって、
停止部は、曲面状に形成されており、かつ、
第１の突出部の第１の突出部端部と、
第１の突出部の第２の突出部端部であって、第１の突出部端部の反対側に位置する第２の突出部端部と、
のうちの１つを備える、第１の突出部と、
第１の上端部と第１の底端部との間に伸びる第１の側壁であって、
第１の側壁は、
第１のヒンジ孔を備える第１の側壁端部と、
第１の側壁端部の反対側に位置する第２の側壁端部であって、第２のヒンジ孔を備える第２の側壁端部と、
第１の側壁端部と第２の側壁端部との間、及び、第１の突出部の第１の突出部端部の方に向かって配置される第３の側壁端部と、
第１の側壁端部と第２の側壁端部との間、及び、第１の突出部の第２の突出部端部の方に向かって配置される第４の側壁端部と、を備える、第１の側壁と、
第１の突出部の中心、及び、第１の上端部と第１の底端部との間を通って伸びる第１の軸線と、
第１の底端部から第１の上端部に向かって伸びており、かつ、第１の軸線を中心に配置される、第１の側壁によって画定される第１の穴と、
第１のドックは、
第１の切欠きを備える第１の後壁と、
第１の後壁に実質的に垂直に、かつ、第１の後壁の両端に結合される第１及び第２の耳部と、を備え、
第１の耳部は、第１の耳孔を備え、
第２の耳部は、第２の耳孔を備え、
第１のクラビスピンは、第１のヒンジ部材を第１のドックとヒンジで留めるために、第１のヒンジ部材のヒンジ軸線に沿って、ヒンジ位置に挿入可能であり、
ヒンジ位置は、第１の耳孔と、第１のヒンジ孔と、第１の穴と、第２のヒンジ孔と、第２の耳孔内の第１のクレビスピンを備え、
第１の切欠きの底部は、第１の突出部の停止部と適合するように曲面状に形成されており、
ゴルフバッグは、
収納角度が第１の軸線とブラケット壁との間に存在し、
第１の突出部が第１の切欠きから離間される場合に、収納状態に移行可能であり、
ゴルフバッグは、
収納角度よりも大きな伸張角度が第１の軸線とブラケット壁の間に存在し、
第１の突出部の停止部が第１の切欠きに受容される場合に、伸張状態に移行可能であり、
第１のヒンジ部材は、
ゴルフバッグが収納状態にある場合に、第３の側壁端部が第１のドックの第１の後壁に対向し、ゴルフバッグが伸張状態にある場合に、第１の突出部端部が第１の切欠きに係合する、第１の向き、又は
ゴルフバッグが収納状態にある場合に、第４の側壁端部が第１のドックの第１の後壁に対向し、ゴルフバッグが伸張状態にある場合に、第２の突出部端部が第１の切欠きに係合する、第２の向き、
のいずれかで第１のドックに取り付け可能である、ゴルフバッグ。
【請求項２０】
第１の突出部は、真直な楕円形又は楕円形のうちの１つからなり、
第１のクレビスピンは、
クレビス頭部を備える第１の頭部端部部分と、
クレビスピンがヒンジ位置にある場合、第２の耳孔から突出する挿入端部部分と、を備え、
挿入端部部分には、コッタピン係合機構がなく、
挿入端部部分の最大厚さは、第１及び第２の耳孔並びに第１及び第２のヒンジ孔のそれぞれの孔寸法に適合しており、
ゴルフバッグがバッグ側壁に結合され、第１の支持脚の第１の端部が、第１のヒンジ部材の第１の穴内に受容され、ゴルフバッグの底部および第１の支持脚の第２の端部がゴルフバッグを支持面上に支持している間に、ゴルフバッグが伸張状態にある場合、
第１の突出部の停止部は、第１の切欠きをブラケット壁に実質的に平行する方向に押す、請求項１９に記載のゴルフバッグ。